(57)【要約】      （修正有）【課題】内部の居住面積も広く、また、緊急時の非難場所として最適であり、しかも簡単に構築でき、堅牢なシェルターを提供する。【解決手段】プレキャスト・プレストレストコンクリートを素材と、平面視で略長方形状で、且つ、複数の階を有する建屋本体１を設け、建屋本体１の底面には、高強度鉄筋コンクリートを素材した基礎部２を設け、基礎部２には、底部２ａを有する基礎スラブを形成し、スラブには、適宜の大きさに仕切られる格子状の枠体２ｂを形成する。これら各枠体２ｂによって仕切られた溝内には、埋戻土Ｘを充填し、且つ、基礎部２の側壁面２ｃは、下方に進むに従って厚くなるようテーパ状に形成し、建屋本体１の長辺部の壁面には、扉、窓等の開口部を形成し、短辺部の壁面は、上下方向に対し、中央部分が建屋方向に緩やかに湾曲した，所謂，波返し状の壁面５に形成している。【選択図】図３
0003178101.tif 000002
【実用新案登録請求の範囲】
【請求項１】
プレキャスト・プレストレストコンクリートを素材と、平面視で略長方形状で、且つ、複数の階を有する建屋本体（１）を設け、
該建屋本体（１）の底面には、一階スラブ（１ａ）を介して高強度鉄筋コンクリートを素材した基礎部（２）を設け、
該基礎部（２）には、底部（２ａ）を有する基礎スラブを形成し、該スラブには、適宜の大きさに仕切られる格子状の枠体（２ｂ）を形成し、
これら各枠体（２ｂ）によって仕切られた溝（３）内には、埋戻土（Ｘ）を充填し、
且つ、前記基礎部（２）の側壁面（２ｃ）は、下方に進むに従って厚くなるようテーパ状に形成し、
前記建屋本体（１）の長辺部の壁面には、扉（４ａ）、窓（４ｂ）等の開口部（４）を形成し、
短辺部の壁面は、上下方向に対し、中央部分が建屋方向に緩やかに湾曲した，所謂，波返し状の壁面（５）に形成したことを特徴とする事業所兼用シェルター。
【考案の詳細な説明】
【技術分野】
【０００１】
この考案は、事業所兼用シェルターに関するものであり、特に、通常時は、工場・倉庫等の事業所として使用し、津波等の自然災害発生時には、災害からから生命および財産を保護する事業所兼用シェルターである。
【背景技術】
【０００２】
従来、シェルターには、屋外で発生する放射能から身を守るもの、竜巻等の風害から身を守るものや、屋内で発生し、屋内の一部屋を避難シェルターとして、強盗から生命や財産を守るものと種々が存在している。
【０００３】
しかしながら、地震発生後に発生する，自然災害のうち、最も強烈な津波からも生命はもちろん、財産も守ることが必要である。
【０００４】
そのために、津波から身を守る津波避難用シェルターは存在した。例えば、特許文献１のように。
【先行技術文献】
【特許文献】
【０００５】
【特許文献１】登録実用新案第３１７３９９８号公報
【０００６】
しかしながら、この技術内容は、極めて少人数用の津波避難用シェルターであり、会社・工場・倉庫・作業場等の事業所で、勤務中に発生した津波に対しては、到底、これらの従業員が全員避難し救助できる規模の施設ではなかった。
【０００７】
そこで、勤務中であれば、如何なる状態であっても、瞬時に避難することが可能であり、内部の居住面積も広く、効率的であり、工場・倉庫・作業場等の事業所に従事する作業員の作業が安心して作業が出来るような場所を提供する必要がある。
【考案の開示】
【考案が解決しようとする課題】
【０００８】
そこで、上記課題を解決する為に、この考案は、内部の居住面積も広く、また、緊急時の非難場所として最適であり、簡単、かつ安価に構築でき、しかも堅牢な事業所兼用シェルターを開発・提供する事にある。
【課題を解決するための手段】
【０００９】
課題を解決するための手段として、本考案は、建屋本体をプレキャスト・プレストレストコンクリートで構成し、建屋本体の壁面は、津波に対して対抗可能な波返しを有する事業所兼用シェルターを開発・提供するものである。
【考案の効果】
【００１０】
この考案によると、建屋本体（１）の両壁面を、上下方向に対して中央部を建屋本体側に湾曲した壁面（５）に形成しており、該壁面が船舶に応用されているおける波返しや、海岸堤防に打ち寄せる波を海へはね返し、堤内への越流量を少なくさせる形状に形成することにより、打ち寄せる津波を避けることができ、津波の水圧から建屋本体の破壊を防止する免震構造としたものである。
【００１１】
また、建屋本体（１）は、プレキャスト・プレストレストコンクリート構造とし、基礎部（２）は、高強度鉄筋コンクリートで構成されているため、堅牢で、且つ、安価である等の極めて有益なる効果を奏する。
【図面の簡単な説明】
【００１２】
【図１】この考案の一実施例を示す正面図である。
【図２】この考案の一実施例を示す側面図である。
【図３】この考案の一実施例を示す横断面図である。
【図４】この考案の一実施例を示す縦断面図である。
【考案を実施するための最良の形態】
【００１３】
以下、この考案について詳細に説明する。尚、この考案においては、以下の記述に限定されるものではなく、この考案の要旨を逸脱しない範囲においては適宜変更可能である。
【実施例１】
【００１４】
そこで、この考案の一実施例を図１〜図３に基づいて詳述すると、プレキャスト・プレストレストコンクリート素材として、平面視で略長方形状で、且つ、複数の階を有する建屋本体（１）を設け、該建屋本体（１）の底面には、高強度鉄筋コンクリートを素材した基礎部（２）を設け、該基礎部（２）には、底部（２ａ）を有する基礎スラブを形成し、該スラブには、適宜の大きさに仕切られる格子状の枠体（２ｂ）を形成し、これら各枠体（２ｂ）によって仕切られた溝（３）内には、埋戻土（Ｘ）を充填し、且つ、前記基礎部（２）の側壁面（２ｃ）は、下方に進むに従って厚くなるようテーパ状に形成し、前記建屋本体（１）の長辺部の壁面には、扉（４ａ）、窓（４ｂ）等の開口部（４）を形成し、短辺部の壁面は、上下方向に対し、中央部分が建屋方向に緩やかに湾曲した，所謂，波返し状の壁面（５）に形成したことを特徴とする事業所兼用シェルターから構成されるものである。
【００１５】
尚、建屋本体（１）の素材は、ＰＣ鋼材を使用して荷重を受けた時にコンクリート引張応力が発生しないようにする。
【００１６】
また、建屋本体（１）を軟弱地盤の上に構築する場合には、基礎スラブである基礎部（２）の底部（２ｂ）を、岩盤層まで打ち込んだ複数本の杭の上に構築することも可能である。
【００１７】
さらに、基礎部（２）と、建屋本体（１）の一階スラブ（１ａ）との間には、高強度鉄筋コンクリートを用いて枡目状に枠体を形成し、さらに、基礎スラブである，基礎部（２）の底部（２ａ）には、これら枡目に囲まれた各穴部（３）には、それぞれ埋戻土（Ｘ）が充填され、重力を有し、建屋本体（１）の錘としての機能を有し、建物本体の補強となるよう構成してもよいものである。
【００１８】
また、基礎部（２）の側壁面（２ｃ）は、下方に進むに従って厚くなるようテーパ状に形成した構造とし、押し寄せる津波に対して堅牢な構成としている。
【００１９】
さらに、波返しとは、大型船舶にも応用され、大波を切り返したり、海岸の防波堤では、海岸堤防に打ち寄せる波を海へはね返し、堤内への越流量を少なくさせたりする形状のものである。
【００２０】
また、建屋本体（１）は、図面によると４階建ての建築物であり、該建屋本体（１）の長辺部の壁面には、一階部分には開口扉（４ａ）を複数形成し、また、２〜４階部分の壁には、窓（４ｂ）を形成し、これら、開口扉（４ａ）及び窓（４ｂ）には、水密機能及び耐圧性を備えた構成とするものであり、これにより建屋本体（１）内への水の浸入を防止できる。
【００２１】
従って、建屋本体（１）の短辺部の壁面には、開口扉や窓は一切設けない構造のものとする。
【産業上の利用可能性】
【００２２】
この考案の事業所兼用シェルターの技術を確立し、この技術をもとに製造・販売することにより産業上の利用可能性を有する。
【符号の説明】
【００２３】
１  建屋本体
１ａ  一階スラブ
２  基礎部
２ａ  底部
２ｂ  枠体
２ｃ  側壁面
３  溝
４  開口部
４ａ  扉
４ｂ  窓
５  壁面
Ｘ  埋戻土
【図１】
0003178101.tif 000003
【図２】
0003178101.tif 000004
【図３】
0003178101.tif 000005
【図４】
0003178101.tif 000006